(57)【要約】【課題】筐体の振動を抑制する部材を備えた構成において、重力方向において、構造部が筐体にのみ支持されている場合と比して、筐体が重力方向に撓むのを抑制することができる露光装置、及び画像形成装置を得る。【解決手段】支持部は、一方向に延びている筐体の両端側の部分を、重力方向で支持している。錘を有する構造部は、一方向において筐体の中央側の部分に取り付けられ、支持部によって重力方向に支持されている。【選択図】図１
2020131681.tif 000002
【特許請求の範囲】
【請求項１】
一方向に延び、重力方向に向けて発光する複数の発光素子を有する基板と、
前記一方向に延び、前記基板が取り付けられている筐体と、
前記筐体の両端側の部分を、重力方向で支持している支持部と、
前記一方向において前記筐体の中央側の部分に取り付けられ、前記支持部によって重力方向に支持され、錘を有する構造部と、
を備える露光装置。
【請求項２】
前記構造部は、前記筐体に対する重力方向の位置が調整可能に前記筐体に取り付けられている請求項１に記載の露光装置。
【請求項３】
前記構造部は、
前記錘と、
前記錘が取り付けられている取付部と、
前記取付部に設けられ、重力方向に対して交差する交差方向から前記筐体を挟む一対の板バネと、
を備える請求項２に記載の露光装置。
【請求項４】
前記構造部は、
前記一方向に延びている前記錘と、
前記一方向に延び、前記錘を前記一方向から挟み、前記錘が取り付けられ、前記一方向の両端部で前記支持部に重力方向で接触している取付部と、
を備える請求項１〜３の何れか１項に記載の露光装置。
【請求項５】
前記取付部の前記一方向の一端部には、重力方向の下方を向いた下面が形成され、
前記支持部には、重力方向の上方を向き、前記下面と面で接触する上面が形成されている請求項４に記載の露光装置。
【請求項６】
像保持体と、
前記像保持体を露光して静電潜像を形成する請求項１〜５の何れか１項に記載の露光装置と、
前記露光装置が形成した前記像保持体の静電潜像を現像する現像装置と、
を備える画像形成装置。
【発明の詳細な説明】
【技術分野】
【０００１】
本発明は、露光装置、及び画像形成装置に関する。
【背景技術】
【０００２】
特許文献１に記載の露光装置は、一方向に延びる板状の本体部と、本体部の一方の面に実装されている複数の発光素子とを有する基板と、一方向に延び、貫通孔が形成される枠状であって、本体部の板厚方向が貫通孔の貫通方向となるように、基板が貫通孔の内部に固定されている筐体と、一方向に対して交差した断面が、本体部の他方の面側が開放されたＵ字状とされ、貫通孔に嵌め込まれているＵ字部材とを備えている。
【先行技術文献】
【特許文献】
【０００３】
【特許文献１】特開２０１８−１５７０号公報
【発明の概要】
【発明が解決しようとする課題】
【０００４】
画像形成装置の稼動に伴って発生する装置本体の振動によって、露光装置に備えられた筐体も振動してしまうことがある。
【０００５】
従来、この筐体の振動を抑制するため、錘を有した構造部が、筐体に取り付けられている。この筐体は、長尺状の部材であって、筐体の長手方向の両端部分が露光装置に備えられた支持部によって支持されている。そして、構造部は、筐体の長手方向の中央側の部分に取り付けられ、筐体にのみ支持されている。
【０００６】
構造部が筐体にのみ支持されているため、像保持体に対する露光装置の露光方向が重力方向の場合には、構造部に作用する重力によって、筐体が重力方向（＝露光方向）に撓んでしまうことがある。
【０００７】
本発明の課題は、筐体の振動を抑制する部材を備えた構成において、重力方向において、構造部が筐体にのみ支持されている場合と比して、筐体が重力方向に撓むのを抑制することである。
【課題を解決するための手段】
【０００８】
本発明の第１態様に係る露光装置は、一方向に延び、重力方向に向けて発光する複数の発光素子を有する基板と、前記一方向に延び、前記基板が取り付けられている筐体と、前記筐体の両端側の部分を、重力方向で支持している支持部と、前記一方向において前記筐体の中央側の部分に取り付けられ、前記支持部によって重力方向に支持され、錘を有する構造部と、を備えることを特徴とする。
【０００９】
本発明の第２態様に係る露光装置は、第１態様に記載の露光装置において、前記構造部は、前記筐体に対する重力方向の位置が調整可能に前記筐体に取り付けられていることを特徴とする。
【００１０】
本発明の第３態様に係る露光装置は、第２態様に記載の露光装置において、前記構造部は、前記錘と、前記錘が取り付けられている取付部と、前記取付部に設けられ、重力方向に対して交差する交差方向から前記筐体を挟む一対の板バネと、を備えることを特徴とする。
【００１１】
本発明の第４態様に係る露光装置は、第１〜第３態様の何れか１態様に記載の露光装置において、前記構造部は、前記一方向に延びている前記錘と、前記一方向に延び、前記錘を前記一方向から挟み、前記錘が取り付けられ、前記一方向の両端部で前記支持部に重力方向で接触している取付部と、を備えることを特徴とする。
【００１２】
本発明の第５態様に係る露光装置は、第４態様に記載の露光装置において、前記取付部の前記一方向の一端部には、重力方向の下方を向いた下面が形成され、前記支持部には、重力方向の上方を向き、前記下面と面で接触する上面が形成されていることを特徴とする。
【００１３】
本発明の第６態様に係る画像形成装置は、像保持体と、前記像保持体を露光して静電潜像を形成する請求項１〜５の何れか１項に記載の露光装置と、前記露光装置が形成した前記像保持体の静電潜像を現像する現像装置と、を備えることを特徴とする。
【発明の効果】
【００１４】
本発明の第１態様に係る露光装置は、筐体の振動を抑制する部材を備えた構成において、重力方向において、構造部が筐体にのみ支持されている場合と比して、筐体が重力方向に撓むのを抑制することができる。
【００１５】
本発明の第２態様に係る露光装置は、重力方向において、構造部と筐体との相対位置関係が変化しないように、構造部が筐体に取り付けられている場合と比して、重力方向において支持部と筐体との相対位置ばらつきを吸収することができる。
【００１６】
本発明の第３態様に係る露光装置は、交差方向において、構造部と筐体との相対位置関係が変化しないように、構造部が筐体に取り付けられている場合と比して、交差方向において構造部の重心と、筐体の重心とがずれるのを抑制することができる。
【００１７】
本発明の第４態様に係る露光装置は、取付部が一方向の中央部だけで支持部に重力方向で接触している場合と比して、構造部の姿勢を安定させることができる。
【００１８】
本発明の第５態様に係る露光装置は、取付部の一方向の両端部が、支持部と点で接触している場合と比して、構造部の姿勢を安定させることができる。
【００１９】
本発明の第６態様に係る画像形成装置は、重力方向において、構造部が筐体にのみ支持されている露光装置を備える場合と比して、出力画像の品質低下を抑制することができる。
【図面の簡単な説明】
【００２０】
【図１】本発明の実施形態に係る露光装置を示した斜視図である。
【図２】本発明の実施形態に係る露光装置を示した分解斜視図である。
【図３】本発明の実施形態に係る露光装置に備えられた振動抑制部を示した斜視図である。
【図４】本発明の実施形態に係る露光装置を示した拡大側面図である。
【図５】本発明の実施形態に係る露光装置を示した側面図である。
【図６】（Ａ）（Ｂ）本発明の実施形態に係る露光装置を示した断面図である。
【図７】（Ａ）（Ｂ）（Ｃ）本発明の実施形態に係る露光装置に設けられた錘の動きを示した動作図である。
【図８】本発明の実施形態に係る画像形成装置を示した概略構成図である。
【図９】本発明の実施形態に対する比較形態に係る露光装置を示した側面図である。
【発明を実施するための形態】
【００２１】
本発明の実施形態に係る露光装置、及び画像形成装置の一例を図１〜図９に従って説明する。なお、図中に示す矢印Ｈは装置上下方向（＝重力方向）を示し、矢印Ｗは装置幅方向（＝水平方向）を示し、矢印Ｄは装置奥行方向（＝水平方向）を示す。
【００２２】
（全体構成）
図８に示されるように、実施形態に係る画像形成装置１０には、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、この順で備えられている。
【００２３】
〔収容部〕
収容部１４には、画像形成装置１０の装置本体１０ａから装置奥行方向の手前側に引き出し可能な収容部材２６が備えられており、この収容部材２６にシート部材Ｐが積載されている。さらに、収容部材２６には、収容部材２６に積載されたシート部材Ｐを、搬送部１６を構成する搬送経路２８に送り出す送出ロール３０が備えられている。
【００２４】
〔搬送部〕
搬送部１６には、収容部１４から送り出されたシート部材Ｐが搬送される搬送経路２８に沿ってシート部材Ｐを搬送する、複数の搬送ロール３２が備えられている。
【００２５】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要が無い場合は、Ｙ、Ｍ、Ｃ、Ｋを省略して記載することがある。
【００２６】
各色の画像形成ユニット１８は、装置本体１０ａに対して夫々着脱可能とされている。そして、各色の画像形成ユニット１８には、像保持体３６と、像保持体３６の表面を帯電する帯電部材３８と、像保持体３６に露光光を夫々照射する露光装置４２とが備えられている。さらに、各色の画像形成ユニット１８には、帯電した像保持体３６に露光装置４２が露光光を照射することで形成された静電潜像を現像してトナー画像とし、可視化する現像装置４０が備えられている。なお、露光装置４２の構成については、詳細を後述する。
【００２７】
また、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。さらに、画像形成部２０には、転写ベルト２２に転写されたトナー画像をシート部材Ｐに転写する二次転写ロール４６と、トナー画像が転写されたシート部材Ｐを加熱、加圧してトナー画像をシート部材Ｐに定着する定着ユニット５０とが備えられている。
【００２８】
（画像形成装置の作用）
画像形成装置１０では、次のようにして画像が形成される。
先ず、電圧が印加された各色の帯電部材３８は、各色の像保持体３６の表面を予定の電位で一様にマイナス帯電する。続いて、外部から受け取った画像データに基づいて、露光装置４２は、帯電した各色の像保持体３６の表面に露光光を照射して静電潜像を形成する。
【００２９】
これにより、データに対応した静電潜像が各色の像保持体３６の表面に形成される。さらに、各色の現像装置４０は、この静電潜像を現像し、トナー画像として可視化する。また、各色の像保持体３６の表面に形成されたトナー画像は、一次転写ロール４４によって転写ベルト２２に転写される。
【００３０】
そこで、収容部材２６から送出ロール３０によって搬送経路２８へ送り出されたシート部材Ｐは、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２の表面のトナー画像は、シート部材Ｐの表面に転写される。
【００３１】
シート部材Ｐの表面に転写されたトナー画像は、定着ユニット５０によってシート部材Ｐに定着される。そして、トナー画像が定着されたシート部材Ｐは、装置本体１０ａの外部へ排出される。
【００３２】
（要部構成）
次に、露光装置４２等について説明する。
露光装置４２は、ＬＥＤプリントヘッドであって、図５に示されるように、像保持体３６の下方に配置されている。
【００３３】
そして、露光装置４２は、図１、図２に示されるように、装置奥行方向（＝一方向）に延びており、板面が上下方向を向いた基板６０と、基板６０の上方に配置され、装置奥行方向に延びているレンズアレイ６２とを備えている。さらに、露光装置４２は、装置奥行方向に延び、基板６０及びレンズアレイ６２が取り付けられている筐体６６と、筐体６６に取り付けられている振動抑制部６８とを備えている。また、露光装置４２は、筐体６６及び振動抑制部６８を支持している支持部材７０と、圧縮コイルスプリング７８（以下「スプリング７８」）とを備えている。振動抑制部６８は構造部の一例である。
【００３４】
〔基板〕
基板６０は、図２に示されるように、板状の本体部６４と、本体部６４の上面６４ａに実装されている複数の発光素子７２とを有している。本体部６４は、プリント配線基板であって、板面が上下方向を向いており、上方から見て装置奥行方向が延びる矩形状とされている。発光素子７２は、発光ダイオード（ＬＥＤ）であって、本体部６４の上面６４ａに千鳥状に配置されて装置奥行方向に延びている。そして、複数の発光素子７２は、上方向（＝重力方向）に発光するようになっている。
【００３５】
〔レンズアレイ〕
レンズアレイ６２は、図２に示されるように、装置奥行方向に延びる直方体状とされている。また、装置奥行方向に直交するレンズアレイ６２の断面形状は、装置上下方向に延びる矩形状とされている（図６（Ａ）参照）。さらに、レンズアレイ６２には、複数のロッドレンズ８２が千鳥状に配置されて装置奥行方向に延びている。そして、夫々のロッドレンズ８２は、上下方向に延びており、夫々の発光素子７２から出射された光を透過させて像保持体３６（図５参照）に結像させるようになっている。
【００３６】
このように、露光装置４２の像保持体３６に対しする露光方向は、上下方向（＝重力方向）とされている。
【００３７】
〔筐体〕
筐体６６は、樹脂材料である液晶ポリマーで成形され、図２に示されるように、装置奥行方向に延びている。さらに、筐体６６には、装置上下方向に貫通し、装置奥行方向に延びる貫通孔８４が形成されている。このように、筐体６６は枠状とされている。
【００３８】
装置奥行方向に直交する筐体６６の断面形状は、図６（Ａ）、（Ｂ）に示されるように、筐体６６の重心Ｇを通り、装置上下方向に延びる線Ｊに対して、対称形状とされている。そして、筐体６６において貫通孔８４が形成されている部分では、図６（Ａ）に示されるように、貫通孔８４を挟んで、装置上下方向に延びる一対の壁部６６ａが形成されている。
【００３９】
筐体６６に形成された貫通孔８４の上端部分には、レンズアレイ６２が図示せぬ接着剤（ＵＶ硬化型接着剤）によって固定されている。また、筐体６６とレンズアレイ６２との間の隙間には、レンズアレイ６２の全周に亘って封止剤８８が充填されている。これにより、筐体６６とレンズアレイ６２との間から、埃等が筐体６６の内部に侵入しないようになっている。
【００４０】
また、筐体６６には、貫通孔８４の下端部の開口を広くするように、貫通孔８４の全周に亘って段部８４ａが形成されている。そして、発光素子７２とレンズアレイ６２とが上下方向で対向するように、この段部８４ａに、基板６０の端部部分が図示せぬ接着剤を用いて固定されている。これにより、段部８４ａと基板６０との間から、埃等が筐体６６の内部に侵入しないようになっている。
【００４１】
さらに、図２、図６（Ｂ）に示されるように、筐体６６において貫通孔８４が形成されていない装置奥行方向の両端部分には、上方を向いた平面状の上面部６６ｂと、下方を向いた平面状の下面部６６ｃとが形成されている。そして、装置本体１０ａは、上面部６６ｂと上下方向で接触する一対の基準フレーム１３０を備えている。
【００４２】
〔支持部材７０、スプリング７８〕
支持部材７０は、トリミングされた板金を折り曲げて形成され、図２に示されるように、装置奥行方向に延びている。さらに、装置奥行方向に直交する断面は、図６（Ａ）に示されるように、上方が開口したＵ字状とされている。支持部材７０は、支持部の一例である。
【００４３】
この支持部材７０は、図２、図６（Ａ）に示されるように、板面が装置幅方向を向いた一対の側板７４と、板面が上下方向を向いた底板７６とを有している。この底板７６は、上方から見て、装置奥行方向に延びる矩形状とされており、底板７６において装置奥行方向の中央側の部分には、装置幅方向に延びる矩形状の貫通孔７６ａが形成されている。また、支持部材７０は、装置本体１０ａに設けられた図示せぬフレーム部材によって下方から支持されている。
【００４４】
スプリング７８は、４個設けられ、図２、図６（Ｂ）に示されるように、筐体６６に形成された下面部６６ｃと、支持部材７０の底板７６に形成され、上方を向いた上面７６ｂとの間に、圧縮された状態で配置されている。具体的には、スプリング７８は、筐体６６の両端部分に夫々２個配置されており、装置奥行方向に並んでいる。
【００４５】
この構成において、支持部材７０は、筐体６６の両端側の部分を、スプリング７８を介して上下方向（＝重力方向）で支持している。そして、スプリング７８の付勢力によって、図５に示されるように、筐体６６の上面部６６ｂが、基準フレーム１３０に押し付けられることで、筐体６６の上下方向の位置が決まるようになっている。これにより、支持部材７０と筐体６６との上下方向の相対位置関係がばらつくようになっている。
【００４６】
〔振動抑制部６８〕
振動抑制部６８は、動吸振器（＝ダイナミックダンパ）であって、図１、図２に示されるように、装置奥行方向おいて筐体６６の中央側の部分に取り付けられており、支持部材７０によって上下方向（＝重力方向）に支持されている。ここで、「装置奥行方向おいて筐体６６の中央側の部分」とは、筐体６６の装置奥行方向の長さを１００としたときに、筐体６６の一端から３０以上７０以下の範囲の中で定められた部分である。
【００４７】
つまり、本実施形態では、振動抑制部６８は、筐体６６の装置奥行方向の長さを１００としたときに、筐体６６の一端から３０以上７０以下の範囲の中で定められた部分に取り付けられている。ここで、筐体６６に生じる振動を抑制する観点から、振動抑制部６８が筐体６６の一端から４０以上６０以下の範囲の中で定められた部分に取り付けられていればさらによく、振動抑制部６８が筐体６６の一端から４５以上５５以下の範囲の中で定められた部分に取り付けられていれば特によい。
【００４８】
振動抑制部６８は、図１に示されるように、装置奥行方向に延びており、筐体６６に対して下方で、かつ、支持部材７０の底板７６に対して上方に配置されている。振動抑制部６８は、図３に示されるように、装置奥行方向に延びている錘１０２と、装置奥行方向から錘１０２を挟み、装置幅方向に弾性変形可能な一対の弾性部１０４とを備えている。さらに、振動抑制部６８は、弾性部１０４を介して錘１０２が取り付けられている取付部１０８と、筐体６６を装置幅方向から挟む一対の板バネ１２４を有する保持部１２０とを備えている。
【００４９】
−錘１０２、弾性部１０４−
錘１０２は、金属材料で形成され、図３に示されるように、装置奥行方向に延びる円柱状である。また、一対の弾性部１０４は、ゴム材料で形成され、装置奥行方向から１０２を挟むように配置されている。そして、弾性部１０４は、装置奥行方向に延びる円柱状とされ、弾性部１０４の一端に錘１０２が図示せぬ固定材で固定されている。
【００５０】
−取付部１０８−
取付部１０８は、トリミングされた板金を折り曲げることで形成され、図３に示されるように、装置奥行方向に延びている。取付部１０８は、板面が装置奥行方向を向き、錘１０２及び一対の弾性部１０４を装置奥行方向から挟むように配置された一対の挟持板１１０と、板面が上下方向を向き、一対の挟持板１１０を連結させている連結板１１２とを有している。さらに、取付部１０８は、一方の挟持板１１０に接続されたＬ字状のＬ字板１１４と、他方の挟持板１１０に接続された平板状の平板１１８とを有している。
【００５１】
一対の挟持板１１０は、装置奥行方向に離間し、前述したように、錘１０２及び一対の弾性部１０４を装置奥行方向から挟んでいる。また、一対の挟持板１１０は、装置奥行方向から見て上下方向に延びる一対の縁と装置幅方向に延びる一対の縁とを有する矩形状とされている。また、挟持板１１０の下端縁１１０ａは、支持部材７０の底板７６に形成された上面７６ｂと接触している（図１参照）。
【００５２】
さらに、装置奥行方向から見て、挟持板１１０の領域内に、錘１０２及び一対の弾性部１０４が配置されている。そして、挟持板１１０において弾性部１０４側の面１１０ｂに弾性部１０４の他端が図示せぬ固定材で固定されている。
【００５３】
連結板１１２は、錘１０２及び一対の弾性部１０４の上方に配置されており、上下方向から見て、装置奥行方向に延びる矩形状とされている。そして、連結板１１２の装置奥行方向の両端縁１１２ａに、一対の挟持板１１０の上端縁１１０ｃが接続されている。
【００５４】
平板１１８は、装置奥行方向の奥側の挟持板１１０の下端縁１１０ａに接続され、板面が上下方向を向いている。そして、平板１１８は、挟持板１１０の下端縁１１０ａから装置奥行方向の奥側へ延びている。さらに、平板１１８には、下方を向いた下面１１８ａが形成されており、この下面１１８ａは、図４に示されるように、支持部材７０の底板７６に形成された上面７６ｂと面で接触している。
【００５５】
Ｌ字板１１４は、図３に示されるように、装置奥行方向の手前側の挟持板１１０の下端縁１１０ａに接続されている。具体的には、Ｌ字板１１４は、挟持板１１０の下端縁１１０ａの装置奥行方向の中央側の部分から下方に延び、板面が装置奥行方向を向いた基部１１４ａと、基部１１４ａの下端縁から装置奥行方向の手前側に延び、板面が上下方向を向いた先端部１１４ｂとを有している。
【００５６】
Ｌ字板１１４の装置幅方向の長さは、支持部材７０の底板７６に形成された貫通孔７６ａ（図１参照）の装置幅方向の長さと比して短くなっている。そして、Ｌ字板１１４の一部は、図１、図４に示されるように、底板７６に形成された貫通孔７６ａから底板７６の下方へ突出している。さらに、Ｌ字板１１４の先端部１１４ｂの一部は、上下方向で底板７６の下方を向いた下面７６ｃと対向している。
【００５７】
この構成において、振動抑制部６８を支持部材７０に対して上方へ持ち上げようとすると、Ｌ字板１１４の先端部１１４ｂと底板７６とが接触する。これにより、振動抑制部６８が支持部材７０から上方へ抜け出るのを（＝移動するのを）抑制している。このように、Ｌ字板１１４は、振動抑制部６８が支持部材７０から抜け出るのを抑制する抜止手段として機能している。
【００５８】
また、前述したように、取付部１０８の下面１１８ａと、支持部材７０の底板７６の上面７６ｂとは、面で接触している。さらに、Ｌ字板１１４の装置幅方向の長さは、支持部材７０の底板７６に形成された貫通孔７６ａの装置幅方向の長さと比して短くなっている。このため、振動抑制部６８は、支持部材７０に対して、予め決められた範囲内で装置幅方向（＝交差方向）に移動可能となっている。
【００５９】
−保持部１２０−
保持部１２０は、トリミングされたばね鋼板によって形成され、図３に示されるように、取付部１０８の連結板１１２の上方で、装置奥行方向において連結板１１２の中央側の部分に配置されている。
【００６０】
保持部１２０は、装置奥行方向から見て上方が開口したＵ字状とされており、連結板１１２と接触する底板１２２と、装置幅方向において底板１２２の両端縁から立ち上がり、筐体６６（図６（Ａ）参照）を装置幅方向から挟み込む一対の板バネ１２４とを有している。
【００６１】
底板１２２は、板面が上下方向を向き、上方から見て装置奥行方向に延びる矩形状とされている。また、底板１２２において装置奥行方向に延びている一対の縁は、連結板１１２において装置奥行方向に延びている一対の縁と上方から見て重なっている。そして、この底板１２２が、図示せぬ固定材を用いて連結板１１２の上面１１２ｂに固定されている。
【００６２】
一対の板バネ１２４は、底板１２２の両端縁から立ち上がり、装置幅方向に離間している。そして、板バネ１２４は、装置幅方向から見て、装置奥行方向に延びる矩形状とされている。さらに、板バネ１２４は折り曲げられ、板バネ１２４には、図６（Ａ）に示されるように、装置奥行方向から見て、対向する板バネ１２４側に突出する突出部１２４ａが形成されている。
【００６３】
夫々の板バネ１２４に形成された突出部１２４ａが筐体６６の壁部６６ａと接触して、夫々の板バネ１２４が弾性的に撓むことで、一対の板バネ１２４は、筐体６６の装置奥行方向の中央側の部分を、装置幅方向から挟み込むようになっている。換言すれば、筐体６６を挟み込んでいない状態での一対の突起部１２４ａ間の距離は、筐体６６の装置幅方向の厚さと比して小さくなっている。このようにして、振動抑制部６８は、筐体６６の中央側の部分に取り付けられている。
【００６４】
ここで、保持部１２０の底板１２２と、筐体６６とは上下方向で離間している。そして、筐体６６の上下方向の位置は、基準フレーム１３０の位置によって決められ、振動抑制部６８の上下方向の位置は、支持部材７０の底板７６の位置によって決められている。このため、筐体６６の上下方向の位置と、振動抑制部６８の上下方向の位置がばらついてしまう。そこで、一対の板バネ１２４による筐体６６の挟み込み位置を調整することで、筐体６６と、振動抑制部６８との相対ばらつきが吸収されるようになっている。このように、振動抑制部６８は、振動抑制部６８の筐体６６に対する重力方向の位置が調整可能に筐体６６に取り付けられている。そして、底板１２２と筐体６６との間に形成された空間を有する支持部材７０は、筐体６６と、振動抑制部６８との相対ばらつきを吸収する吸収手段として機能している。
【００６５】
また、振動抑制部６８は、一対の板バネ１２４が筐体６６を装置幅方向から挟み込むことで、筐体６６に取り付けられている。これにより、夫々の板バネ１２４の筐体６６に対する撓み量が同様となるように、振動抑制部６８が支持部材７０に対して装置幅方向に移動する。そして、振動抑制部６８の重心と、筐体６６の重心とが、装置幅方向で同様の位置になる。つまり、一対の板バネ１２４は、振動抑制部６８の装置幅方向の位置と、筐体６６の装置幅方向の位置を調整する位置調整手段として機能している。
【００６６】
この構成において、画像形成装置１０の画像形成動作に伴なって筐体６６へ装置幅方向の振動が伝達されたときは、図７（Ａ）（Ｂ）（Ｃ）に示されるように、振動抑制部６８の弾性部１０４が変形しながら錘１０２が装置幅方向に振動する。これにより、筐体６６の振動が抑制されるようになっている。
【００６７】
（要部構成の作用）
次に、要部構成の作用について、比較形態に係る露光装置５４２と比較しつつ説明する。先ず、露光装置５４２の構成について、露光装置４２と異なる部分を主に説明する。
【００６８】
〔露光装置５４２の構成〕
露光装置５４２は、図９に示されるように、基板６０と、レンズアレイ６２と、筐体６６と、支持部材７０と、スプリング７８とを備えている。さらに、露光装置５４２は、筐体６６に取り付けられた振動抑制部５６８を備えている。
【００６９】
振動抑制部５６８は、質量ダンパ（＝マスダンパ）であって、装置奥行方向おいて筐体６６の中央側の部分に取り付けられており、支持部材７０の底板７６とは上下方向で離間している。換言すれば、重力方向において、振動抑制部５６８は、筐体６６にのみ支持されている。
【００７０】
振動抑制部５６８は、装置奥行方向に延びる円柱状の錘６０２と、錘６０２が取り付けられている取付部６０８とを備えている。取付部６０８は、装置奥行方向から錘６０２を挟み込む挟持部６０８ａと、筐体６６を装置幅方向から挟み込む挟持部６０８ｂとを有している。このようにして、振動抑制部５６８は、筐体６６に取り付けられている。
【００７１】
この構成において、振動抑制部５６８が取り付けられた筐体６６の固有振動数は、画像形成装置１０の画像形成動作に伴なって筐体６６へ伝達される振動数からずれる。これにより、筐体６６の振動が抑制されるようになっている。
【００７２】
〔露光装置４２、５４２の作用〕
次に、露光装置４２、５４２の作用について説明する。
【００７３】
図８に示す画像形成装置１０の画像形成動作が開始され、像保持体３６の表面が帯電すると、画像データに基づいて露光装置４２、５４２は、発光素子７２を発光させて像保持体３６の表面に露光光を照射する（図６（Ａ）参照）。
【００７４】
ここで、画像形成動作によって生じる、装置本体１０ａ内の駆動部材の振動が、露光装置４２の筐体６６に伝達される。前述したように、筐体６６における装置奥行方向の両端側の部分が支持されている。また、装置奥行方向に直交するレンズアレイ６２の断面形状は、図６（Ａ）に示されるように、装置上下方向に延びる矩形状とされ、筐体６６には、装置上下方向に延びる一対の壁部６６ａが形成されている。このため、レンズアレイ６２が取り付けられた筐体６６の上下方向の曲げ剛性が、筐体６６の装置幅方向の曲げ剛性と比して高くなっている。これにより、レンズアレイ６２が取り付けられた筐体６６は、装置幅方向に振動しやすくなっている（図１の矢印Ｆ参照）。
【００７５】
このため、画像形成動作に伴なって筐体６６へ伝達される振動と筐体６６の固有振動とによる共振が発生した場合に、筐体６６が顕著に振動する。
【００７６】
露光装置５４２では、筐体６６に振動抑制部５６８が取り付けられている。このため、前述したように、振動抑制部５６８が取り付けられた筐体６６の固有振動数は、画像形成動作に伴なって筐体６６へ伝達される振動数からずれている。これにより、露光装置５４２の筐体６６の振動が抑制される。
【００７７】
しかし、露光装置５４２では、振動抑制部５６８は、支持部材７０の底板７６とは上下方向で離間している。このため、振動抑制部５６８に作用した重力によって、露光装置５４２の筐体６６が重力方向に撓んでしまうことがある。換言すれば、露光装置５４２の筐体６６が露光方向に撓んでしまうことがある。具体的には、装置奥行方向において筐体６６の中央側の部分が、両端部側の部分に対して下方へ位置するように、筐体６６が上下方向（＝露光方向）に撓んでしまう。このように、筐体６６が露光方向に撓むことで、発光素子７２から出射され、ロッドレンズ８２を透過した光を像保持体３６に結像させる結像誤差が大きくなる。このため、露光装置５４２の露光によって、像保持体３６に形成される静電潜像の品質が低下する。
【００７８】
これに対して、露光装置４２では、筐体６６に振動抑制部６８が取り付けられている。このため、前述したように、画像形成装置１０の画像形成動作に伴なって筐体６６へ装置幅方向の振動が伝達されたときは、図７（Ａ）（Ｂ）（Ｃ）に示されるように、振動抑制部６８の弾性部１０４が変形しながら錘１０２が装置幅方向に振動する。これにより、露光装置４２の筐体６６の振動が抑制される。
【００７９】
ここで、振動抑制部６８は、支持部材７０によって上下方向（＝重力方向）に支持されている。このため、振動抑制部６８に作用した重力によって、筐体６６が露光方向に撓むのが抑制されている。
【００８０】
（まとめ）
以上説明したように、筐体６６の振動を抑制する部材を備えた構成において、露光装置４２では、露光装置５４２と比して、筐体６６が重力方向（＝露光方向）に撓むのが抑制される。
【００８１】
また、露光装置４２では、一対の板バネ１２４が筐体６６を挟み込むことで、振動抑制部６８が筐体６６に取り付けられている。換言すれば、一対の板バネ１２４による筐体６６の挟み込み位置を調整することで、筐体６６と、振動抑制部６８との相対ばらつきが吸収されるようになっている。このため、振動抑制部と筐体との相対位置関係が変化しないように、振動抑制部が筐体に取り付けられている場合と比して、重力方向における振動抑制部６８と筐体６６との相対位置ばらつきが吸収される。
【００８２】
また、露光装置４２では、保持部１２０に形成された一対の板バネ１２４が、筐体６６を装置幅方向から挟むことで、振動抑制部６８が筐体６６に取り付けられている。さらに、取付部１０８は、支持部材７０に対して、予め決められた範囲で装置幅方向に移動可能となっている。このため、振動抑制部と筐体との相対位置関係が変化しないように、振動抑制部が筐体に取り付けられている場合と比して、振動抑制部６８の重心と、筐体６６の重心とが装置幅方向でずれるのが抑制される。
【００８３】
また、露光装置４２では、錘１０２は、装置奥行方向に延びており、取付部１０８は、装置奥行方向に延び、一対の弾性部１０４及び錘１０２を装置奥行方向から挟んでいる。さらに、取付部１０８の両端側に形成された一対の挟持板１１０の下端縁１１０ａが、重力方向の上方から支持部材７０の底板７６に形成された上面７６ｂと接触することで、振動抑制部６８は、支持部材７０によって支持されている。これにより、取付部の装置奥行方向の中央部だけで支持部材に重力方向で接触している場合と比して、振動抑制部６８の姿勢が安定する。
【００８４】
また、露光装置４２では、取付部１０８の装置奥行方向の奥側の部分に形成された下面１１８ａと、支持部材７０の底板７６に形成された上面７６ｂとが面で接触している。このため、取付部の装置奥行方向の両端部が、底板の上面と点で接触している場合と比して、振動抑制部６８の姿勢が安定する。
【００８５】
また、画像形成装置１０では、露光装置４２を備えている。このため、露光装置５４２を備える場合と比して、像保持体３６に形成される静電潜像の品質低下が抑制されることで、出力画像の品質低下が抑制される。
【００８６】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、露光装置４２は、動吸振器である振動抑制部６８を備えることで、筐体６６に生じる振動を抑制したが、露光装置が質量ダンパを備えることで筐体に生じる振動を抑制してもよい。
【００８７】
また、上記実施形態では、取付部１０８の装置奥行方向の奥側の部分に形成された下面１１８ａと、支持部材７０の底板７６に形成された上面７６ｂとが面で接触していたが、取付部の装置奥行方向の両端側の部分が面で、底板に形成された上面と接触してもよい。この場合には、装置奥行方向の一端側の部分だけが、底板の上面と面で接触する場合と比して、振動抑制部の姿勢が安定する。
【００８８】
また、上記実施形態では、振動抑制部６８は、保持部１２０に形成された一対の板バネ１２４が、筐体６６を装置幅方向から挟むことで、振動抑制部６８が筐体６６に取り付けられたが、固定材等を用いて、振動抑制部が筐体に取り付けられてもよい。振動抑制部６８が支持部材７０に支持されていればよい。
【００８９】
また、上記実施形態では、支持部材７０は、一体的に形成されたが、筐体６６を支持する部分と、振動抑制部６８を支持する部分とが分かれていてもよい。
【００９０】
また、上記実施形態では、振動抑制部６８は下方から支持部材７０に支持されたが、振動抑制部が、吊り糸等で上方から支持されてもよい。
【符号の説明】
【００９１】
１０ 画像形成装置
３６ 像保持体
４０ 現像装置
４２ 露光装置
６０ 基板
６６ 筐体
６８ 振動抑制部（構造部の一例）
７０ 支持部材（支持部の一例）
７２ 発光素子
７６ｂ 上面
１０２ 錘
１０８ 取付部
１１８ａ 下面
１２４ 板バネ
【図１】
2020131681.tif 000003
【図２】
2020131681.tif 000004
【図３】
2020131681.tif 000005
【図４】
2020131681.tif 000006
【図５】
2020131681.tif 000007
【図６】
2020131681.tif 000008
【図７】
2020131681.tif 000009
【図８】
2020131681.tif 000010
【図９】
2020131681.tif 000011